(57)【要約】      （修正有）【課題】導光板と遮光板とを重ねて構成された観測盤において、導光板と遮光板との局部的な強い接触や密着による表示の不鮮明化を防止できる観測盤を提供する。【解決手段】ケース４内に、光源を内蔵する光源部１と、この光源で発光した光を導光し、裏面に文字や図形を表示させた導光板２および光を透過させない遮光板３を重ねたものとを収納し、前記導光板２の表面にマーカーペン等で図形や記号を記入可能とした観測盤において、遮光板３の表面をマット仕上げすることにより導光板２と密着しないようにする。【選択図】図１
0003165677.tif 000002
【実用新案登録請求の範囲】
【請求項１】
枠状のケース内に、光源を内蔵する光源部と、この光源で発光した光を導光する導光板および光を透過させない遮光板を重ねたものとを収納し、前記導光板の表面にマーカーペン等で記入可能とした観測盤であって、
前記遮光板の表面を暗色とし、マット仕上げまたは艶消し塗装することにより前記導光板の裏面との密着を防止したことを特徴とする観測盤。
【請求項２】
枠状のケース内に、光源を内蔵する光源部と、この光源で発光した光を導光する導光板を収納し、前記導光板の表面にマーカーペン等で記入可能とした観測盤であって、
前記ケース底部の表面を暗色とし、マット仕上げまたは艶消し塗装することにより前記導光板の裏面との密着を防止したことを特徴とする観測盤。
【請求項３】
前記導光板の裏面に、印刷、彫刻、書き込み等により文字や図形を表示させた請求項１または２に記載の観測盤。
【考案の詳細な説明】
【技術分野】
【０００１】
本考案は、夜間などの暗い場所で目標物を観察し、その位置等を記録する観測盤に関する。
【背景技術】
【０００２】
夜間の天体観測や、夜間における船舶の航行等において、目標物を観察し、その位置を特定して記録することが行われる。このような場合、光源によって基準となる座標軸等が照らし出され、それに対応して記入した文字や記号なども光って見えるような記録盤（メモボード）があれば便利である。
【０００３】
特許文献１には、そのような利用が可能な「表示装置」が記載されている。
【０００４】
図６によりこれを簡単に説明する。図６は特許文献１に記載の表示装置の実施例における側面図である。ケース４に光源１と、光源１で発光した光を導光し表面に文字や図形を表示する導光板２と、光の透過を防ぐ盲板３を内蔵した構成の表示装置において、盲板３の表面に対向した第１の導光板２の表面２ｂに樹脂で文字あるいは図形等を印刷又は書いた塗膜５を表示させるとともに、塗膜の厚みで導光板２と盲板３の接触を防止することを特徴とするものである。
【０００５】
導光板２の裏面２ｂには樹脂で文字あるいは図形が印刷してあり、光はこの塗膜で反射するから、印刷された図形は明瞭に表示される。一方、導光板２の表面２ａに蛍光ペン等で図形や記号を書くと、これも導光した光によって明るく表示される。
【０００６】
ところで、導光板２と盲板３が接触したり密着したりすると接触した部分で導光した光が強く光り、表面に書いた文字等が不明瞭になるという問題点がある。これは液晶の表面を指で押すとその周囲に虹色の模様が現れるのと似た現象であるが、暗い場所でこの種の表示板を使用していて文字等を書き込もうとすると、筆圧でペン先の周囲が光ってしまうのである。従来はこれを避けるために導光板２と盲板３の間に適当な距離を設けて表示板を製作していたので、表示板全体を薄くすることができなかった。そこで、特許文献１に記載の発明では導光板２の裏面に印刷または書いて表示する文字や図形等の塗膜５を厚くし、その厚みにより導光板２と盲板３とが接触しないだけの間隔を保つようにして、薄くて、文字や図形を明瞭に表示する表示板を実現している。
【先行技術文献】
【特許文献】
【０００７】
【特許文献１】特許第４５１８３４３号公報
【考案の概要】
【考案が解決しようとする課題】
【０００８】
しかし、本考案者らの実験によれば、塗膜の厚みの働きによって導光板２と盲板３との接触、およびそれに伴って部分的に強く光って文字等が不明瞭になることを防止するには塗膜の厚みがかなり厚いことが必要であり、通常のスクリーン印刷等による１〜１００μｍ程度の塗膜では達成できないため、特殊な印刷方法を採用しなければならず、製作コストが高騰して現実的でないという問題点があることが判明した。
【０００９】
本考案は、従来の技術における上記のような問題点を解消し、手軽な手段で導光板とその下部の遮光板あるいはケースとの接触や密着を防止し、安いコストの観測盤を実現することを目的とする。
【課題を解決するための手段】
【００１０】
請求項１に記載の本考案は、枠状のケース内に、光源を内蔵する光源部と、この光源で発光した光を導光する導光板および光を透過させない遮光板を重ねたものとを収納し、前記導光板の表面にマーカーペン等で記入可能とした観測盤であって、前記遮光板の表面を暗色とし、マット仕上げまたは艶消し塗装することにより前記導光板の裏面との密着を防止したことを特徴とする観測盤である。
【００１１】
請求項２に記載の本考案は、枠状のケース内に、光源を内蔵する光源部と、この光源で発光した光を導光する導光板を収納し、前記導光板の表面にマーカーペン等で記入可能とした観測盤であって、前記ケース底部の表面を暗色とし、マット仕上げまたは艶消し塗装することにより前記導光板の裏面との密着を防止したことを特徴とする観測盤である。
【００１２】
そして請求項３に記載の本考案は、前記導光板の裏面に、印刷、彫刻、書き込み等により文字や図形を表示させた請求項１または２に記載の観測盤である。
【考案の効果】
【００１３】
本考案によれば、簡単な手段で導光板とその下部の遮光板あるいはケースとの接触や密着を防止して、記入した文字等が見やすく、安価でコンパクトな観測盤を実現することができるという、すぐれた効果を奏する。
【図面の簡単な説明】
【００１４】
【図１】本考案の実施例の観測盤を示す斜視図である。
【図２】図１の実施例の観測盤の一部を示す断面図である。
【図３】本考案の観測盤の他の実施例の一部を示す断面図である。
【図４】実施例の導光板の裏面に印刷する図形の一例を示す正面図である。
【図５】実施例の導光板の裏面に印刷する図形の他の例を示す正面図である。
【図６】従来の技術における表示装置の側面図である。
【考案を実施するための形態】
【００１５】
以下本考案の実施例を図面により説明する。
【００１６】
図１は本考案の観測盤の一実施例を示す斜視図である。光源部１には光源であるＬＥＤや、これを作動させるニッケル水素電池等の電源ユニットが内蔵され、表面には光源の明るさを調節する調光ダイアル１Ｄが設けられている。導光板２の裏面には追って説明する文字や図形等が印刷されており、光源により文字や図形等が輝いて表示される。その下部には特許文献１における盲板に相当する遮光板３が敷かれ、これらは重ねられて枠状のケース４に収納されている。
【００１７】
図２は図１に示した観測盤の一部を示す断面図である。導光板２は、その表面２ａに赤色、黄色等のマーカーペン（ダーマトグラフ等の蛍光ペンなど）で観測内容を自由に書き込むことができる。また書き込んだ記号や文字は布等で拭うことにより消去を繰り返すので、表面は疵がつきにくいものであることが必要である。裏面２ｂには例えば白色で、文字や図形等をスクリーン印刷（シルク印刷）により印刷する。このような導光板の材料としては、透明なアクリル樹脂板が好ましい。
【００１８】
なお、スクリーン印刷による塗膜の厚みは５〜７μｍ程度であり、しかも図形によって印刷部分が密だったり大きく空いていたりして、塗膜は導光板の全面について均一に分布していない可能性があるから、この塗膜には前記特許文献１に記載されたような接触防止の効果は期待できない。したがって本考案においてはスクリーン印刷に代えて塗膜厚が不均一になりやすい手書きを採用したり、あるいは全く塗膜の存在しない彫刻によって文字や図形を表示させても何ら差し支えない。
【００１９】
遮光板３は表面３ａを黒色、濃紺等の暗色に艶消し塗装した金属板、例えばアルミニウム合金板である。艶消し塗装はマット仕上げともいい、塗料自体の性質で実現できる場合もあるし、一旦通常の塗装をしてからサンドブラスト等で表面に微細な凹凸を形成するマット処理を行ってもよい。暗色のゴムシートを使用することもできるが、ゴムシートのマット処理は金属板ほど容易ではない。いずれにせよ、光沢のある表面では本考案の効果は得られないので、何らかの手段で曇った表面にすることが必要である。
【００２０】
ケース４は軽量、雨に濡れてもよい等の理由からアルミニウム合金、またはステンレス板がよい。
【００２１】
なお、光源であるＬＥＤに白色のものを使用すると、裏面の塗膜や表面に記入した文字等は使用したインクや塗料そのままの色で表示されるので、複数の色を使い分けることが可能である。一方、光源に橙色のものを使用すると、かなり暗い場所でも光の識別が容易となる反面、裏面の塗膜や表面に記入した文字等はすべて橙色に光るので、使用目的により光源の色を適宜選択することが好ましい。
【００２２】
図３は他の実施例における断面図である。この実施例では遮光板を用いず、ケース４には導光板２のみを収納する。導光板２の裏面２ｂに文字や図形等を印刷し、表面に文字や記号などを記入して使用するのは先の実施例と同様であるが、遮光板の表面の代わりにケース４の底部表面を暗色とし、ここをマット仕上げまたは艶消し塗装してある。ケース４の内部をマット仕上げするので処理がやや面倒であるが、遮光板を使用しないだけ全体が薄くなり軽量化される。
【００２３】
図４、図５は導光板２の裏面２ｂに印刷する図形の例である。図４は所定間隔の同心円とこれを２４時間に分割する半径線とで構成され、例えばレーダーのＰＰＩ表示のように中心を自己位置とし、０時の方向を北、６時を東、１２時を南、１８時を西としてコンパスに合わせ、観測した地形等を記入することによって進路を判断することができる。また中心を北極とし、周囲を方角に合わせて東西南北として天空を観察すれば、星座、流星などの記録をすることができる。
【００２４】
図５は横軸をｘ方向、縦軸をｙ方向として観測する場合の図形の例である。
【００２５】
なお、使用目的によっては、観察しながら単に表面に文字等を記入するだけでよい場合もあり、導光板裏面の文字や図形の印刷等が不要であれば、これを省略してもよい。裏面の表示のないものも本考案の範囲内であることは、いうまでもない。
【００２６】
本考案の観測盤は、基準となる座標軸も、書き込んだ記録も光って表示されるので、夜間や暗い場所でも正確に、かつ効率よく観測結果をリアルタイムで記録することができる。
【符号の説明】
【００２７】
１…光源部（光源）、  ２…導光板、  ２ａ…（導光板の）表面、  ２ｂ…（導光板の）裏面、  ３…遮光板（盲板）、  ３ａ…（遮光板の）表面、  ４…ケース（枠体）、  ４ａ…（ケース底部の）表面、  ５…塗膜。
【図１】
0003165677.tif 000003
【図２】
0003165677.tif 000004
【図３】
0003165677.tif 000005
【図４】
0003165677.tif 000006
【図５】
0003165677.tif 000007
【図６】
0003165677.tif 000008